(57)【要約】【課題】  平面視略矩形で表裏のパネル壁４，５と４辺を囲む側周壁６からなる２重壁パネル構造のブロー成形体１において、パネルの剛性を高め、特に対角線方向に沿った反りや変形を抑える。【解決手段】  ブロー成形体１は厚みの大きい外周フレーム部２と厚みの小さい内周部３からなり、外周フレーム部２と内周部の間には段差Ｓが付いている。段差が付いている箇所のコーナー部近傍にリブ１１がはすかい状（対向するコーナーを結ぶ対角線に略垂直）に形成されている。このリブ１１は第１パネル壁４から第２パネル壁５に向かって垂直に伸び、その先端が第２パネル壁５の内面に溶着したもので、第１パネル壁４に連続する両側面部１１ａ，１１ｂと台形状をなす頂面部１１ｃからなる。【選択図】  図１
2005305943.tif 000002
【特許請求の範囲】
【請求項１】
平面視略４角形で表裏のパネル壁と４辺を囲む側周壁からなる２重壁パネル構造のブロー成形体において、４つのコーナー近傍に一方のパネル壁と他方のパネル壁を連結する補強用のリブが形成され、該リブは、一方のパネル壁から連続して他方のパネル壁に向かって略垂直に伸びその先端が他方のパネル壁の内側に溶着したもので、前記コーナーに対しはすかい状に形成されていることを特徴とするブロー成形体。
【請求項２】
前記ブロー成形体が、厚みの大きい外周フレーム部と厚みの小さい内周部からなり、前記一方のパネル壁にほぼ厚みの差に等しい段差が形成され、前記リブが、前記段差の箇所に形成されていることを特徴とする請求項１に記載されたブロー成形体。
【請求項３】
平面視略４角形で表裏のパネル壁と４辺を囲む側周壁からなる２重壁パネル構造のブロー成形体において、４つのコーナー近傍に一方のパネル壁と他方のパネル壁を連結する補強用のリブが形成され、該リブは、双方のパネル壁から連続して対向するパネル壁に向かって略垂直に伸び、双方のパネル壁の中間位置において両先端が互いに溶着したもので、前記コーナー部に対しはすかい状に形成されていることを特徴とするブロー成形体。
【請求項４】
前記リブが、前記パネル壁に連続する両側面部とその先端の頂面部で構成された２重壁のリブか、前記パネル壁に連続する両側面部が互いに溶着して板状となった隠しリブであることを特徴とする請求項１〜３のいずれかに記載されたブロー成形体。
【請求項５】
平面視略４角形で表裏のパネル壁と４辺を囲む側周壁からなる２重壁パネル構造のブロー成形体において、４つのコーナー近傍に一方のパネル壁と他方のパネル壁を連結する補強用のリブが形成され、該リブは、一方のパネル壁から連続して他方のパネル壁に向かって略垂直に伸び、該一方のパネル壁に連続する両側面部とその先端の頂面部で構成された２重壁のリブであり、前記頂面部が他方のパネル壁の内側に近接して位置するもので、前記コーナーに対しはすかい状に形成されていることを特徴とするブロー成形体。
【請求項６】
前記ブロー成形体が、厚みの大きい外周フレーム部と厚みの小さい内周部からなり、前記一方のパネル壁にほぼ厚みの差に等しい段差が形成され、前記リブが、前記段差の箇所に形成されていることを特徴とする請求項５に記載されたブロー成形体。
【請求項７】
平面視略４角形で表裏のパネル壁と４辺を囲む側周壁からなる２重壁パネル構造のブロー成形体において、４つのコーナー近傍に一方のパネル壁と他方のパネル壁を連結する補強用のリブが形成され、該リブは、双方のパネル壁から連続して対向するパネル壁に向かって略垂直に伸び、それぞれパネル壁に連続する両側面部とその先端の頂面部で構成された２重壁のリブであり、双方のパネル壁の中間位置において両頂面部が互いに対向し近接して位置するもので、前記コーナー部に対しはすかい状に形成されていることを特徴とするブロー成形体。
【請求項８】
前記リブが、対向するコーナーをつなぐ対角線に対し略垂直な面に沿って形成されていることを特徴とする請求項１〜７のいずれかに記載されたブロー成形体。
【請求項９】
パーティングラインが側周壁の中央より前記一方のパネル壁に近い箇所に設定されていることを特徴とする請求項１〜８のいずれかに記載されたブロー成形体。
【発明の詳細な説明】
【技術分野】
【０００１】
本発明は、補強用のリブが形成された２重壁パネル構造のブロー成形体に関する。
【背景技術】
【０００２】
従来より、表裏のパネル壁とその周囲を囲む側周壁からなる２重壁パネル構造のブロー成形体を強化するため、両パネル壁をつなぐリブが形成される。この種のリブとしては、下記特許文献１〜５に記載されているように、２重壁パネル構造の一方のパネル壁から連続して他方のパネル壁に向けて垂直に延び、両側面部と狭くなった頂面部で構成された断面略台形状をなすリブや、２重壁パネル構造の一方のパネル壁から連続して他方のパネル壁に向けて垂直に延び全体が互いに溶着して板状となったリブ（いわゆる隠しリブ）が知られている。また、下記特許文献６〜７に記載されているように、リブに補強部材を包み込ませたものも知られている。
【０００３】
【特許文献１】特開２００４−５８２８６号公報
【特許文献２】特開２００３−１６５１５２号公報
【特許文献３】特開平６−７１７３９号公報
【特許文献４】特開平６−１７９２３６号公報
【特許文献５】特開平５−２５４００２号公報
【特許文献６】特開平１１−１８８７８２号公報
【特許文献７】特開平９−１１３２３号公報
【発明の開示】
【発明が解決しようとする課題】
【０００４】
これらの補強用リブは、一般にブロー成形体の長さ方向に沿って形成され、ブロー成形体が平面視略矩形の偏平なパネル状ブロー成形体であれば、いずれかの辺に平行に一列又は複数列で形成されている。しかし、このようなブロー成形体は、対角線方向の長さが長いためか、例えばパネル壁の中央に厚さ方向に荷重が掛かると、対角線方向に沿った反りや変形が起こりやすい。リブの数を増やし、ブロー成形体の肉厚を大きくすれば、これらの反りや変形を押さえることができるが、それでは製品の重量が増し、コストアップ要因ともなる。
本発明は、従来のパネル状ブロー成形体におけるこの問題点に鑑みてなされたもので、リブの配置を工夫することにより、パネルの剛性を高め、対角線方向に沿った反りや変形を抑えることを目的とする。
【課題を解決するための手段】
【０００５】
本発明は、平面視略４角形で表裏のパネル壁と４辺を囲む側周壁からなる２重壁パネル構造のブロー成形体に関し、４つのコーナー近傍に一方のパネル壁と他方のパネル壁を連結する補強用のリブが形成され、該リブは、一方のパネル壁から連続して他方のパネル壁に向かって略垂直に伸びその先端が他方のパネル壁の内側に溶着したもので、前記コーナーに対しはすかい状に形成されていることを特徴とする。このブロー成形体には、厚みが均一なパネルだけでなく、例えば、厚みの大きい外周フレーム部と厚みの小さい内周部からなり、前記一方のパネル壁にほぼ厚みの差に等しい段差が形成され、かつ前記リブが前記段差の箇所に形成されたものが含まれる。
【０００６】
前記ブロー成形体において、前記リブは、前記パネル壁に連続する両側面部とその先端の頂面部で構成された２重壁のリブか、又は前記パネル壁に連続する両側面部が互いに溶着して板状となった隠しリブである。これらは組み合わされていてもよい。また、前記リブは、双方のパネル壁から連続して対向するパネル壁に向かって略垂直に伸び、双方のパネル壁の中間位置において両先端が互いに溶着したものであってもよい。
さらに、前記ブロー成形体において、前記リブは、対向するコーナーをつなぐ対角線に対し略垂直な面に沿って形成されていることが望ましい。また、パーティングラインが側壁の中央より前記一方のパネル壁に近い箇所に設定されていることが望ましい。
【０００７】
なお、前記リブがパネル壁に連続する両側面部とその先端の頂面部で構成された２重壁のリブからなる場合において、一方のパネル壁から連続して伸びたリブの頂面部を他方のパネル壁に溶着させず、他方のパネル壁の内側にごく近接した位置に留めておくこともできる。あるいは、双方のパネル壁から連続して伸びたリブの頂面部を互いに溶着させず、互いにごく近接した位置で対向させておくこともできる。この場合、溶着した場合に比べて、パネルの初期剛性は強くないが、パネル壁を厚さ方向に押す荷重が加わってパネルが変形を始めると、リブの頂面部が他方のパネル壁に接触し、あるいは双方のリブの頂面部が互いに接触して、以後の剛性が高まり、溶着したリブとほぼ同等の作用効果を奏するようになる。
また、ブロー成形体に、本発明に係るリブと従来のリブを組み合わせて適用することも自在になし得る。
【発明の効果】
【０００８】
本発明に係る２重壁パネル構造のブロー成形体は、リブがコーナーに対してはすかい状に形成されているため、特にパネルの剛性が高くなり、パネル壁を厚さ方向に押す荷重に対して強く、特に対角線方向に沿ったたわみや変形を抑えることができ、例えば床パネルや壁面ボード等として用いるのに好適である。
【発明を実施するための最良の形態】
【０００９】
以下、図１〜図１２を参照して、本発明に係る２重壁構造のブロー成形体について、具体的に説明する。
図１に示すブロー成形体１は、平面視略矩形で、厚みの大きい外周フレーム部２と、厚みの小さい内周部３からなる。ブロー成形体１の断面構造を詳しくみると、図１，２に示すように、表裏のパネル壁（第１パネル壁４，第２パネル壁５）と４辺を囲む側周壁６からなる２重壁パネル構造を有し、第１パネル壁４は、上下方向に段差Ｓを有する第１パネル外周壁７及び第１パネル内周壁８と、その段差をつなぐ第１パネル側壁９からなる。第２パネル壁５は段差のない平面とされ、前記段差Ｓが外周フレーム部２と内周部３の厚みの差となって表れている。
【００１０】
ブロー成形体１の段差の箇所には、各コーナー近傍にリブ１１、各辺部中央にリブ１２が形成されている。リブ１１は対向するコーナーをつなぐ対角線（図示せず）に対し略垂直な方向（図１に両矢印Ｘで図示）に長く形成されて、各コーナーに対しはすかい状に配置されている。図３に示すように、リブ１１は第１パネル壁４（第１パネル外周壁７と第１パネル内周壁８）から第２パネル壁５に向かって垂直に伸び、その先端が第２パネル壁５の内面に溶着したもので、第１パネル壁４（第１パネル外周壁７と第１パネル内周壁８）に連続する両側面部１１ａ，１１ｂと台形状に狭くなった頂面部１１ｃで構成された２重壁のリブであり、側面部１１ａは第１パネル側壁９の一部をなしている。
リブ１２は、各辺部に平行な面に沿った方向に長く形成されている。図４に示すように、リブ１２も同じく、第１パネル壁４（第１パネル外周壁７と第１パネル内周壁８）から第２パネル壁５に向かって伸び、その先端が第２パネル壁６の内面に溶着したもので、第１パネル壁４（第１パネル外周壁７と第１パネル内周壁８）に連続する両側面部１２ａ，１２ｂと台形状に狭くなった頂面部１２ｃで構成された２重壁のリブであり、側面部１２ａは第１パネル側壁９の一部をなしている。
【００１１】
ブロー成形体１は、例えば容器の蓋（第１パネル壁４の側が裏面、第２パネル壁５の側が表面）として用いられる。リブ１１によりパネルの対角線方向に沿った曲げに対する剛性が強化され、リブ１２により各辺部に平行な方向に沿った曲げに対する剛性が強化され、上からの荷重に対するたわみや変形が抑えられる。また、剛性の強化に伴ってブロー成形体１の重量が増すこともない。
【００１２】
図５及び図６は、ブロー成形体１の製造工程の一部を示すもので、１３はパリソン、１４，１５は金型である。金型１４，１５のパーティングライン、すなわちブロー成形体１のパーティングラインは、側周壁６の中央（パネルの厚さ方向の中央位置）より第１パネル壁５に近い位置に設定されている。従って、金型１４，１５は図５に丸く囲った箇所において最初にパリソン１３に接触し、当該箇所ではパリソン１３が冷却して引き伸ばされにくいため、ブロー成形体１において図６に丸く囲った箇所が最も厚肉となり、相対的に強化される。パーティングラインを上記のように設定することにより、リブ１１，１２の両側面部（頂面部１１ｃ，１２ｃの近傍）が強化されると同時に、側周壁６の下端近傍（ブロー成形体１を例えば蓋として用いる場合、第１パネル壁４の側が裏面、すなわち下になる）がパーティングラインに沿って強化され、ブロー成形体１は、上からの荷重に対する剛性が高くなる効果がある。
【００１３】
図７及び図８に示すブロー成形体２１は、平面視略矩形で、表裏のパネル壁（第１パネル壁２４，第２パネル壁２５）と４辺を囲む側周壁２６からなる２重壁パネル構造を有し、全体として均一な厚みを有する。各コーナー近傍にリブ３１が形成され、このリブ３１は対向するコーナーをつなぐ対角線（図示せず）に対し略垂直な面な方向に長く形成されて、各コーナーに対しはすかい状に配置されている。
図８に示すように、リブ３１は第１リブ３２と第２リブ３３からなり、第１リブ３２は第１パネル壁２４から第２パネル壁２５に向かって垂直に伸び、第１パネル壁２４に連続する両側面部３２ａ，３２ｂと台形状に狭くなった頂面部３２ｃで構成された２重壁のリブである。第２リブ３２は第２パネル壁２５から第１パネル壁２４に向かって伸び、両側面部３３ａ，３３ｂが互いに溶着して板状となったいわゆる隠しリブである。第１リブ３２と第２リブ３３の先端同士が溶着して、前記リブ３１を構成している。
【００１４】
ブロー成形体２１は、例えば床パネルや壁面ボード等として用いられる。リブ３１によりパネルの対角線方向に沿った曲げに対する剛性が強化され、上からの荷重に対するたわみや変形が抑えられる。また、剛性の強化に伴ってブロー成形体１の重量が増すこともない。必要に応じて、このようなリブ３１を各辺に平行に形成してもよい。
【００１５】
ブロー成形体２１のリブ３１は、図９，図１０に示す形態のリブ４１，５１に代えることもできる。リブ４１は、第１リブ４２と第２リブ４３からなり、第１リブ４２は第１パネル壁４４から第２パネル壁４５に向かって垂直に伸び、第１パネル壁４４に連続する両側面部４２ａ，４２ｂと台形状に狭くなった頂面部４２ｃで構成された２重壁のリブである。第２リブ４２は第２パネル壁４５から第１パネル壁４４に向かって垂直に伸び、第１パネル壁４５に連続する両側面部４３ａ，４３ｂと台形状に狭くなった頂面部４３ｃで構成された２重壁のリブである。第１リブ４２と第２リブ４３の先端同士が溶着して、前記リブ４１を構成している。
リブ５１は、第１パネル壁５４から第２パネル壁５５に向かって伸び、その先端が第２パネル壁５５の内面に溶着したもので、第１パネル壁５４に連続する両側面部５１ａ，５１ｂと台形状に狭くなった頂面部５１ｃで構成されている。
【００１６】
なお、ブロー成形体２１において、リブが第１リブと第２リブからなる場合、両方とも隠しリブにより構成することもできる。また、ブロー成形体１においてリブ１１，１２の代わりに隠しリブを成形することができる。
【００１７】
図１１は、第１パネル壁から連続的に第２パネル壁に向けて伸びたリブの頂面部が第２パネル壁の内側に溶着していない例を示し、図１２は、第１パネル壁と第２パネル壁から連続して伸びたそれぞれのリブの頂面部が互いに溶着していない例を示す。
図１１は、図１に示すブロー成形体１において第２パネル壁５に溶着していないリブ１１を形成した場合に、図３と同じ断面を示すもので、符号は全て図３と同じ符号を用いている。リブ１１は、第１パネル壁４（第１パネル外周壁７と第１パネル内周壁８）から第２パネル壁５に向かって垂直に伸び、両側面部１１ａ，１１ｂと台形状に狭くなった頂面部１１ｃで構成され、その頂面部１１ｃが第２パネル壁５にごく近接した位置（パネル壁５との間に隙間Ｄがある）に達している。なお、この例では、リブ１１の頂面部１１ｃが第２パネル壁５に溶着していないため、第２パネル壁５の外面に溶着マーク（溶着の痕跡）が出ない利点がある。
【００１８】
図１２は、図７に示すブロー成形体２１において、第１，第２リブが互いに溶着していないリブを形成した場合に、図９と同じ断面を示すもので、符号は全て図９と同じ符号を用いている。リブ４１は、第１リブ４２と第２リブ４３からなり、第１リブ４２は第１パネル壁４４から第２パネル壁４５に向かって垂直に伸び、第１パネル壁４４に連続する両側面部４２ａ，４２ｂと台形状に狭くなった頂面部４２ｃで構成され、第２リブ４２は第２パネル壁４５から第１パネル壁４４に向かって垂直に伸び、第１パネル壁４５に連続する両側面部４３ａ，４３ｂと台形状に狭くなった頂面部４３ｃで構成され、両頂面部４２ｃと４３ｃは互いにごく近接している（隙間Ｄがある）。
【図面の簡単な説明】
【００１９】
【図１】本発明に係るブロー成形体の斜視図である。
【図２】Ａ−Ａ断面図である。
【図３】そのＢ−Ｂ断面図である。
【図４】そのＣ−Ｃ断面図である。
【図５】その製造方法を説明する断面図である。
【図６】同じくその製造方法を説明する断面図である。
【図７】本発明に係るブロー成形体の斜視図である。
【図８】そのＤ−Ｄ断面図である。
【図９】別のリブの断面形状を示す断面図である。
【図１０】さらに別のリブの断面形状を示す断面図である。
【図１１】さらに別のリブの断面形状を示す断面図である。
【図１２】さらに別のリブの断面形状を示す断面図である。
【符号の説明】
【００２０】
１，２１  ブロー成形体
２  外周フレーム部
３  内周部
４，２４，４４，５４  第１パネル壁
５，２５，４５，５５  第２パネル壁
６  側周壁
１１，１２、３１，４１，５１  リブ
【図１】
2005305943.tif 000003
【図２】
2005305943.tif 000004
【図３】
2005305943.tif 000005
【図４】
2005305943.tif 000006
【図５】
2005305943.tif 000007
【図６】
2005305943.tif 000008
【図７】
2005305943.tif 000009
【図８】
2005305943.tif 000010
【図９】
2005305943.tif 000011
【図１０】
2005305943.tif 000012
【図１１】
2005305943.tif 000013
【図１２】
2005305943.tif 000014